(57)【要約】【課題】  記録媒体に設けられる不揮発性メモリに波形情報を書き込んでおき、記録再生装置側で読み取って特性差を吸収できるようにする。【解決手段】  可換型記録媒体内部の不揮発性メモリに当該記録媒体を規格で定められた特性の標準ヘッドで再生した場合の波形情報を書き込むとともに、記録再生装置の内部メモリにこの装置で実際に使用されるヘッドと前記標準ヘッドとの特性差の情報を登録しておき、記録再生装置側で不揮発性メモリの内容から使用媒体と使用ヘッドのトータルのズレ量を演算し、このズレ量に基づいてフィルタ係数を決定する。【選択図】図２
2005174396.tif 000002
【特許請求の範囲】
【請求項１】
媒体カートリッジに不揮発性メモリが設けられた可換型情報記録媒体に対し情報の記録再生を行う記録再生装置において、
当該記録再生装置の再生ヘッドと規格で定められた特性を有する標準ヘッドとの特性差情報を記憶した内部記憶手段と、前記媒体カートリッジの不揮発性メモリから当該媒体を前記標準ヘッドで読み出した場合の波形情報を読み出す媒体メモリアクセス手段と、媒体メモリアクセス手段が読み出した波形情報と前記特性差情報とを用いて前記記録再生装置の読み出し回路部のフィルタ係数を決定する演算手段と、この演算回路の出力に従いフィルタ係数を変更する可変フィルタと、を備えることを特徴とする情報記録再生装置。
【請求項２】
請求項１に記載の記録再生装置において、前記特性差情報は、前記記録再生装置の再生ヘッドと前記標準ヘッドとで同じ記録媒体を読み出した場合の再生波形の半値幅の比率であるとともに、前記演算手段は、前記記録媒体から読み出される再生波形の半値幅と前記媒体メモリアクセス手段が読み出した波形情報の半値幅の比率に前記特性差情報の比率を乗算することにより前記媒体の特性誤差と前記記録再生装置の特性誤差を総合したズレ量を求め、このズレ量に基づいて前記読み出し回路部のフィルタ係数を決定することを特徴とする情報記録再生装置。
【請求項３】
媒体カートリッジに不揮発性メモリが設けられた可換型情報記録媒体に対し情報の記録再生を行う記録再生装置において、
前記記録再生装置の再生ヘッドと規格で定められた特性を有する標準ヘッドとの特性差情報を記憶した内部記憶手段と、前記記録媒体から読み出される波形情報を採取する波形サンプル回路と、前記波形サンプル回路が取得した波形情報と前記特性差情報を用いて前記標準ヘッドで前記記録媒体を読み出した場合の波形情報を生成する演算処理手段と、前記媒体カートリッジの不揮発性メモリに情報を書き込み可能な媒体メモリアクセス手段とを備え、
前記媒体カートリッジの不揮発性メモリに波形情報が記録されていない場合に、前記標準ヘッドで前記記録媒体を読み出した場合の波形情報を生成して前記不揮発性メモリに書き込むことを特徴とする情報記録再生装置。
【請求項４】
請求項３に記載の記録再生装置において、前記特定差情報は、前記記録再生装置の再生ヘッドと前記標準ヘッドとで同じ記録媒体を読み出した場合の再生波形の半値幅の比率であるとともに、前記演算処理手段は、前記波形サンプル回路が取得した波形情報の半値幅に前記特定差情報の比率を乗算することにより、前記標準ヘッドで前記記録媒体を読み出した場合の波形情報を生成することを特徴とする情報記録再生装置。
【請求項５】
媒体カートリッジに不揮発性メモリが設けられた可換型情報記録媒体に対し情報の記録再生を行う記録再生装置の制御方法であって、
前記不揮発性メモリから、前記記録媒体を規格で定められた特性を有する標準ヘッドで読み出した場合の波形情報を読み出すステップと、この波形情報と、前記記録再生装置の再生ヘッドと前記標準ヘッドとの特性差情報とを用いて前記記録再生装置のフィルタ係数を決定するステップと、ここで決定したフィルタ係数に従い読み出し回路部のフィルタ係数を変更するステップと、を含むことを特徴とする記録再生装置の制御方法。
【請求項６】
媒体カートリッジに不揮発性メモリが設けられた可換型情報記録媒体に対し情報の記録再生を行う記録再生装置の制御方法であって、
前記不揮発性メモリに波形情報が登録されているかを判断するステップと、波形情報が登録されていない場合に、前記記録媒体を読み出して再生波形を採取するステップと、この再生波形に基づいて前記記録媒体を規格で定められた特性を有する標準ヘッドで読み出した場合の波形情報を生成するステップと、ここで生成した波形情報を前記媒体カートリッジの不揮発性メモリに書き込むステップと、を含むことを特徴とする記録再生装置の制御方法。
【請求項７】
媒体カートリッジに不揮発性メモリが設けられた可換型情報記録媒体であって、前記不揮発性メモリ内に、当該記録媒体を規格で定められた特性を有する標準ヘッドで読み込んだ場合の波形情報が記録されていることを特徴とする情報記録媒体。
【発明の詳細な説明】
【技術分野】
【０００１】
本発明は、情報記録再生装置及びその制御方法に関し、特に、媒体カートリッジに内蔵された不揮発性メモリから波形情報を読み出してヘッド値を最適化する磁気テープ装置及びその制御方法に関する。
【背景技術】
【０００２】
従来、磁気テープのカートリッジに不揮発性メモリを設け、再生装置側でメモリ情報を読み込むことにより製造メーカ、用途、カセットが新品であるか否か、使用回数等を判別できるようにした技術がある（例えば、特許文献１）。
【０００３】
一方、磁気テープ装置では、読み出し回路の特性を、各社の磁気テープ媒体に対して読み込みが可能なように平均的なフィルター特性に対応する固定値とする方式や、上記のような不揮発性メモリから製造メーカ情報を読み込み、製造メーカ毎に予め定められたフィルタ特性に切り換える方式がある。図８に後者の構造を示す。媒体カートリッジ５１の不揮発性メモリ５２には製造メーカ情報が登録されており、制御ユニット４は、媒体５１の装填時に不揮発性メモリＩ／Ｆ５５で製造メーカ情報を読み出し、内部記憶手段５６から予めメーカ毎に一義的に設定されているフィルタ係数を読み出し回路部のフィルタ５７に設定する。
【０００４】
しかしながら、フィルタ特性が固定された装置では、例えば磁気テープに用いる磁性粉が変更されるなど、何らかの理由により適用する媒体の特性が大きく変更されたような場合に対応することができない。また、不揮発性メモリからメーカ名を読み出して回路特性を切り換える構造のものでも、新規の磁気テープ製造メーカの参入等があった場合には、フィルタ特性を変更する必要があってもすぐには対応させることができない問題がある。
【０００５】
磁気テープ装置ではないが、磁気ディスクと磁気ヘッドが一体的に構成される磁気ディスク装置において、ディスクカートリッジ内に設けた不揮発性メモリに、再生波形の線形ひずみの補正値、波形等化フィルタの各チャンネル係数などを格納しておき、この特性データに基づいてカートリッジホルダの信号処理特性を最適化する磁気ディスク装置がある（例えば、特許文献２）。この磁気ディスク装置では、カートリッジホルダの製造時に、検査工程等で再生信号に応じた信号処理回路の特性が最適となる値を測定し、特性データとしてカートリッジの不揮発性メモリに記録しておくことにより、カートリッジホルダに搭載したときに記録された特性データに基づき信号処理回路の特性を最適化することができる。
【０００６】
しかしながら、この技術はカートリッジホルダ内で磁気ディスクと磁気ヘッドが一体的に構成され、１の磁気ヘッドが複数の磁気ディスクを再生する構成ではないため、例えば磁気テープなどの可換型情報記録媒体を扱う記録再生装置に適用できない。すなわち、各ディスクカートリッジには磁気ディスクと、磁気ヘッドと、不揮発性メモリとが搭載され、メモリに記録される特性データは当該磁気ディスクを当該磁気ヘッドで読み出した場合の出力信号を最適化するための特性データとなる。ここで、記録媒体や再生ヘッドが同一規格に基づき製造されたとしても、製造メーカや製造ロット等により特性のバラツキが生じる場合がある。上記の磁気ディスク装置では、不揮発性メモリ内の特性データは磁気媒体と磁気ヘッドの各特性が総合されたデータとなり、仮にこの磁気ヘッドで他の磁気ディスクを再生した場合には必ずしも適切な特性データとはならない。
【０００７】
【特許文献１】特開平８−１２９８５４号公報
【特許文献２】特開２００３−１６６０５号公報
【発明の開示】
【発明が解決しようとする課題】
【０００８】
本願発明が解決しようとする課題は、可換型情報記録媒体を扱う記録再生装置において、規格で定められる１の標準ヘッドを使用した場合の波形情報を媒体メモリに登録しておき、再生装置側で使用するヘッドと標準ヘッドとの特性差を補償する演算処理を行うことにより、記録媒体と再生ヘッド（すなわち、記録再生装置装置）の組み合わせが固定ではない場合でも信号処理回路の特性を最適化する装置を提供することである。
【課題を解決するための手段】
【０００９】
本願請求項１に記載の発明は、媒体カートリッジに不揮発性メモリが設けられた可換型情報記録媒体に対し情報の記録再生を行う記録再生装置において、
当該記録再生装置の再生ヘッドと規格で定められた特性を有する標準ヘッドとの特性差情報を記憶した内部記憶手段と、前記媒体カートリッジの不揮発性メモリから当該媒体を前記標準ヘッドで読み出した場合の波形情報を読み出す媒体メモリアクセス手段と、媒体メモリアクセス手段が読み出した波形情報と前記特性差情報とを用いて前記記録再生装置の読み出し回路部のフィルタ係数を決定する演算手段と、この演算回路の出力に従いフィルタ係数を変更する可変フィルタと、を備えることを特徴とする。
【００１０】
本願請求項２に記載の発明は、前記特性差情報が、前記記録再生装置の再生ヘッドと前記標準ヘッドとで同じ記録媒体を読み出した場合の再生波形の半値幅の比率であるとともに、前記演算手段は、前記記録媒体から読み出される再生波形の半値幅と前記媒体メモリアクセス手段が読み出した波形情報の半値幅の比率に前記特性差情報の比率を乗算することにより前記媒体の特性誤差と前記記録再生装置の特性誤差を総合したズレ量を求め、このズレ量に基づいて前記読み出し回路部のフィルタ係数を決定することを特徴とする。
【００１１】
本願請求項３に記載の発明は、媒体カートリッジに不揮発性メモリが設けられた可換型情報記録媒体に対し情報の記録再生を行う記録再生装置において、
前記記録再生装置の再生ヘッドと規格で定められた特性を有する標準ヘッドとの特性差情報を記憶した内部記憶手段と、前記記録媒体から読み出される波形情報を採取する波形サンプル回路と、前記波形サンプル回路が取得した波形情報と前記特性差情報を用いて前記標準ヘッドで前記記録媒体を読み出した場合の波形情報を生成する演算処理手段と、前記媒体カートリッジの不揮発性メモリに情報を書き込み可能な媒体メモリアクセス手段とを備え、
前記媒体カートリッジの不揮発性メモリに波形情報が記録されていない場合に、前記標準ヘッドで前記記録媒体を読み出した場合の波形情報を生成して前記不揮発性メモリに書き込むことを特徴とする。
【００１２】
本願請求項４に記載の発明は、前記特定差情報が、前記記録再生装置の再生ヘッドと前記標準ヘッドとで同じ記録媒体を読み出した場合の再生波形の半値幅の比率であるとともに、前記演算処理手段は、前記波形サンプル回路が取得した波形情報の半値幅に前記特定差情報の比率を乗算することにより、前記標準ヘッドで前記記録媒体を読み出した場合の波形情報を生成することを特徴とする。
【００１３】
本願請求項５に記載の発明は、媒体カートリッジに不揮発性メモリが設けられた可換型情報記録媒体に対し情報の記録再生を行う記録再生装置の制御方法であって、
前記不揮発性メモリから、前記記録媒体を規格で定められた特性を有する標準ヘッドで読み出した場合の波形情報を読み出すステップと、この波形情報と、前記記録再生装置の再生ヘッドと前記標準ヘッドとの特性差情報とを用いて前記記録再生装置のフィルタ係数を決定するステップと、ここで決定したフィルタ係数に従い読み出し回路部のフィルタ係数を変更するステップと、を含むことを特徴とする。
【００１４】
本願請求項６に記載の発明は、媒体カートリッジに不揮発性メモリが設けられた可換型情報記録媒体に対し情報の記録再生を行う記録再生装置の制御方法であって、
前記不揮発性メモリに波形情報が登録されているかを判断するステップと、波形情報が登録されていない場合に、前記記録媒体を読み出して再生波形を採取するステップと、この再生波形に基づいて前記記録媒体を規格で定められた特性を有する標準ヘッドで読み出した場合の波形情報を生成するステップと、ここで生成した波形情報を前記媒体カートリッジの不揮発性メモリに書き込むステップと、を含むことを特徴とする。
【００１５】
本願請求項７に記載の発明は、媒体カートリッジに不揮発性メモリが設けられた可換型情報記録媒体であって、前記不揮発性メモリ内に、当該記録媒体を規格で定められた特性を有する標準ヘッドで読み込んだ場合の波形情報が記録されていることを特徴とする。
【発明の効果】
【００１６】
磁気テープ内部の不揮発性メモリに波形情報が書き込まれていれば、波形情報に基づきフィルタの計数値を最適化することが可能となり、読み出しエラーの発生を減少させることができる。特に、本願発明では実際に使用するテープと実際に使用するヘッドの個体差を考慮してフィルタ値を最適化するため、メーカ毎に固定のフィルタ係数を採用するような従来装置に比べてエラー発生率を減少させることができる。また、エラーが多発するような状況となっても、状況に応じてフィルタ値を変化させてリトライ処理を行うことが可能となり、リトライ時間の短縮を実現することができる。さらに、初期状態の波形情報と実際に読み込んだ波形情報を比較すれば、磁気媒体の劣化を検出して警告を発することが可能となる。これにより、他の媒体にユーザデータを移行する等の処置を行うことが可能となり、手遅れとなる前にユーザデータを保護することができる。
【発明を実施するための最良の形態】
【００１７】
本発明を実施するための最良の形態について、図面を参照しながら以下に詳細に説明する。図１は、本発明の実施例に係る磁気テープ装置の構成を示すブロック図である。磁気テープ装置１は、ホスト装置２との送受信を行うＩ／Ｏ３と、装置全体の動作を制御する制御ユニット４と、磁気テープ２０を走行駆動するモータ制御回路５と、磁気テープ２０に対しデータの書き込み／読み出しを行う磁気ヘッド６と、磁気ヘッド６を駆動するドライバ７と、磁気テープ２０の不揮発性メモリ２１に対し書き込み／読み出しを行う不揮発メモリＩ／Ｆ８と、を具えている。
【００１８】
また、読み出し回路として、磁気ヘッド６からの出力を増幅するプリアンプ１１と、増幅信号の振幅レベルを調整するＡＧＣ１２と、フィルタ係数を変更可能な可変フィルタ１３と、波形情報をデジタルデータに変換する弁別器１４とを具えている。
【００１９】
磁気テープ２０が装填されると、テープの一端が磁気テープ装置のリール９に巻き取られ、モータ制御回路５が駆動するモータによりテープ上の所望位置へ移動して定常走行させることが可能である。磁気テープ２０への書き込み時、制御ユニット４は、ホスト装置２からＩ／Ｏ３を介してユーザデータを受け取り、モータ制御回路５を制御して磁気テープ上の所望位置に磁気ヘッドを位置づける。所望位置で定常走行となったら、ユーザデータを書き込みデータに変換し、ドライバ７を介し磁気ヘッド６を駆動して磁気テープ上にデータを記録する。
【００２０】
磁気テープからの読み出し時には、ホスト装置２からの指示を受けた制御ユニット４は、磁気ヘッド６を磁気テープ上の所望位置に移動させ、定常走行に移行して磁気ヘッド６からの読み出しを開始する。ヘッド６の出力はプリアンプ１１により一定の増幅率（Gain）で増幅され、ＡＧＣ１２により基準振幅になるよう振幅レベルが調整され、この出力が可変フィルタ１３により波形成形され、弁別器１４によりデジタルデータに変換される。このデジタルデータは制御ユニット４でユーザデータに変換され、Ｉ／Ｏ３からホスト装置２へ送出される。なお、以上の動作は、例えば図６に示す従来装置と同様である。
【００２１】
本実施例に係る磁気テープ装置１はさらに、磁気テープ２０の再生波形をＡＤＣ１５を介して取得する波形サンプル回路１６と、データ読み出し時の可変フィルタ１４の設定値を決定する演算回路１７と、予め所定のデータが登録されている内部メモリ１８とを具えている。
【００２２】
内部メモリ１８には、少なくとも、この磁気テープ装置１で実際に使用するヘッドと規格で定められる標準ヘッドとの特性差の情報と、フィルタ設定値を決定するためのフィルタ設定値テーブルが登録されている。ここで、本明細書中「標準ヘッド」とは、業界で１つに定めるべき特定スペックの磁気ヘッドをいい、磁気テープ装置１の製造段階の検査工程において標準ヘッドと装置１の磁気ヘッド６との特性差を測定し、予め内部メモリ１８に登録したものが特性差情報である。同一規格の下に製造された磁気テープ装置であっても、磁気ヘッドの特性にバラツキが生じている場合、特性差情報も異なるものとなる。後に説明するが、図６は、フィルタ設定値テーブルの登録内容を模式的に表したものである。
【００２３】
装置ごとの特性差情報を得るためには、例えば以下の方法が考えられる。業界で１つに定めるべき任意のスペックの標準ヘッドと、同じく業界で１つに定めるべき任意の特性の標準媒体を定め、標準ヘッドで標準媒体を読み込んだ場合の再生波形の情報とともに公開する。この標準ヘッドで別の媒体を読み込めば再生波形の変化から当該別の媒体と標準媒体の特性差を得ることができる。また、別のヘッドで標準媒体を読み込めば波形情報から当該別のヘッドと標準ヘッドとの特性差を得ることができる。さらに、予め標準ヘッドとの特性差が判明している別の磁気ヘッドがあれば、当該別の磁気ヘッドで任意の媒体を読み込んで得られる波形情報を標準ヘッドで読み込んだ場合の波形に変換することが可能となる。
【００２４】
磁気テープ装置１の波形サンプル回路１６は、磁気テープ２１の不揮発性メモリ２１に波形情報が登録されていない場合に、制御ユニット４により起動される。波形サンプル回路１６は起動すると、ＡＧＣ１２の増幅率とフィルタ１３の設定値を所定の値に固定して磁気テープ上の特定パターン部分を読み出し、ＡＤＣ１５でアナログ情報からデジタル情報に変換された波形情報を取得する。さらに波形サンプル回路１６は内部メモリ１８にある標準ヘッドと使用ヘッドの特性差情報を用いて、ＡＤＣ１５から入力される波形情報を標準ヘッドで読み出した場合の波形情報に変換する。制御ユニット４は、この波形情報をメモリＩ／Ｆ８を介して磁気テープ２０の不揮発性メモリ２１に書き込むとともに、使用履歴のデータを更新する。
【００２５】
このようにして、本発明に係る磁気テープ媒体２０の不揮発性メモリ２１には、メーカ名等のほか、磁気テープ２０の使用履歴と、規格で定められる標準ヘッドで当該磁気テープを読み込んだ場合の波形情報（すなわち、標準ヘッド値にノーマライズされた波形情報）とが記録される。なお、波形情報は、上述のように本願磁気テープ装置１が磁気テープ２０の使用時に書き込むようにしてもよいが、磁気テープ１の製造段階の検査工程等においてテープからの再生信号に基づき予め書き込まれていてもよい。
【００２６】
磁気テープ装置１の演算回路１５は、テープ装填時にメモリＩ／Ｆ８を介して読み出される不揮発性メモリ２１内の波形情報と、内部メモリ１８に記憶されている標準ヘッドと使用ヘッドの特性差情報とに基づき、この磁気テープ２０を装置１の使用ヘッドで読み込んだ場合に最適となるフィルタ設定値を決定する。決定されたフィルタ係数が可変フィルタ１３に送出され、可変フィルタ１３の設定値が変更される。これにより、最適化されたフィルタ係数にて磁気テープ２０のデータが読み出される。
【００２７】
上記実施例の動作を、図２のフローチャートに基づいて説明する。磁気テープ２０の装填時（ステップＳ１）、制御ユニット４は不揮発メモリＩ／Ｆ８を介して磁気テープ２０の不揮発性メモリ２１の内容を読み出す（ステップＳ２）。不揮発性メモリ２１には、磁気テープ２０の製造メーカ、品番、使用履歴、もしあれば波形情報等が登録されている。ここで製造メーカおよび品番等の情報から磁気テープ装置１で使用可能か否かが判定され、使用可能な磁気テープである場合は、テープの一端がリールに巻き付けられ磁気テープの走行駆動が可能となる。なお、使用可能なメーカおよび品番の情報は予め磁気テープ装置１の内部メモリ１８に登録されており、制御ユニット４は不揮発性メモリ２１に記録されたメーカ名および品番が内部メモリ１８の参照テーブルにあれば使用可能と判断するものとする。
【００２８】
次に、制御ユニット４は不揮発性メモリ２１に波形情報があるか否かを判断し（ステップＳ３）、なければ波形サンプル回路１６を起動して磁気テープ上の特定パターン情報を取り込む動作を実行する（ステップＳ４）。この処理では、ＡＧＣの増幅率およびフィルタ係数を既定値に固定した状態で、モータ制御回路５を介してテープを走行させ磁気ヘッド６から一定周波数の繰り返しで記録されている特定パターン部分を読み出す。この出力値がＡＤＣ１５でデジタルに変換されて波形サンプル回路１６に送られる。図３は、再生波形とサンプリングデータを示す図である。
【００２９】
波形サンプル回路１６に取り込まれる波形情報のサンプル数、サンプル箇所などは、磁気テープ２０の不揮発性メモリ２１の記憶容量や磁気テープ装置１の再生方式を考慮して決定される。例えば、磁気テープ装置１の再生方式がピーク検出方式のみの場合、図３に示すデータｄ１〜ｄ５およびデータｄ６〜ｄ１０の振幅情報と時間情報が使用される。図３において、データｄ３およびデータｄ８はそれぞれ＋側と−側の最大振幅レベルであり、データｄ１、ｄ２およびデータｄ４、ｄ５は＋側出力の５０％レベルの前後にあるデータ、データｄ６、ｄ７およびデータｄ９、ｄ１０は−側出力の５０％レベルの前後にあるデータである。
【００３０】
また、磁気テープ装置１がピーク検出方式やＰＲＭＬ方式など様々な再生方式に対応する場合は、出力振幅が最大値となるサンプルデータを中心に図３のサンプルデータを一つ飛びに間引いた１３サンプルを採用する。この間引きしたサンプルデータと再生波形の関係を図４に示す。
【００３１】
磁気テープ２０からの波形情報採取が完了すると、制御ユニット４は、再生波形を標準ヘッドで読み込んだ場合の波形情報に変換する（ステップＳ５）。以下にこの処理例を説明する。制御ユニット４は、まず再生波形の半値幅Ａを求める。すなわち、例えば再生波形が図３に示されるものである場合、データｄ３から＋側出力レベルの５０％を求め、その前後にあるデータｄ１、ｄ２から直線補間にて５０％レベルとなる時間情報と、データｄ４、ｄ５から直線補間にて５０％レベルとなる時間情報を求め、この時間情報の差分から＋側出力の半値幅ａを取得する。同様に、データｄ６、ｄ７およびデータｄ９、ｄ１０から−側出力の半値幅ｂを算出し、半値幅ａとｂの平均値を再生波形の半値幅Ａとして取得する。
【００３２】
次に、制御ユニット４は内部メモリ１８に登録されている使用ヘッドと標準ヘッドの特性差情報を参照し、この磁気テープ２０を標準ヘッドで読み出した場合の半値幅Ｂを算出する。具体的には、例えば特性差情報として、同じ磁気テープを使用ヘッドと標準ヘッドで読み込んだ場合の半値幅の比ｃが登録されているとすれば、Ｂ＝Ａ×１／ｃを演算して、この磁気テープ２０を標準ヘッドで読み出した場合の半値幅Ｂを得る。その後制御ユニット４は半値幅がＢとなるよう再生波形を変換すると、標準ヘッドで読み込んだ場合の波形情報となる。制御ユニット４は、このようにして得た波形情報を、不揮発メモリＩ／Ｆ８を介して磁気テープ２０の不揮発性メモリ２１に書き込む（ステップＳ６）。
【００３３】
一方、ステップＳ３において不揮発性メモリ２１に既に波形情報が存在する場合（ステップＳ３：ＹＥＳ）、演算回路１７は、磁気テープ２０の不揮発性メモリ２１に書き込まれた波形情報と内部メモリ１８にある特性差情報とを用いて使用ヘッドと使用媒体の特性誤差の合計を求め、フィルタ係数を決定する（ステップＳ７）。この処理例を以下に説明する。
【００３４】
制御ユニット４は、磁気テープ２０の不揮発性メモリ２１に書き込まれた波形情報と、内部メモリ１８に書き込まれた標準ヘッドと使用ヘッドとの特性差情報を読み出し、演算回路１７に送出する。上述のように、本実施例では特性差情報として、同じテープを再生した場合の標準ヘッドと使用ヘッドとの半値幅の比ｃが登録されているものとする。まず、上記と同様にして磁気テープからの再生波形の半値幅を求め、媒体メモリ２１にある標準ヘッドで読み出した場合の波形の半値幅との比率ｄを求める。次に、読み出しを行うヘッドと標準ヘッドとの半値幅の比率ｃと比率ｄの積を求める。この積が、実際に使用するヘッドと媒体の特性の差をトータルしたズレ量を表すものとなる。
【００３５】
このようにしてトータルのズレ量を演算したら、内部メモリ１８に登録されたフィルタ設定値テーブルを参照して、フィルタ設定値を決定する。本実施例では、可変フィルタの設定値としてブースト量とカットオフ周波数を決定する。図５は、周波数に対するゲインを示すグラフである。図５に示すように、ブースト量が０ｄｂの場合、カットオフ周波数は３ｄｂダウンしたときの周波数を規定することになる。ここでカットオフ周波数が値ｅに設定されているとき、ブースト量を６ｄｂに設定すると、カットオフ周波数でのゲインが６ｄｂ増加し、これに伴い合成されたカットオフ周波数は値ｆとなる。
【００３６】
本実施例のフィルタ設定値テーブルの登録内容をグラフで表したものを図６に示す。内部メモリ１８には、図６に示すように半値幅とブースト量の相関を規定する第１のテーブルと、ブースト量に対するカットオフ周波数を規定する第２のテーブル（図示せず）とが登録されている。本実施例では、上記演算した半値幅の比率の積（トータルのズレ量）を不揮発メモリ２１の波形情報の半値幅に乗算し、得られた半値幅に基づいて、図６の関係式によりブースト量を決定する。ここで、エラーが多発していない通常運用時には、図６に実線で示される「通常設定」の値に決定する。決定されたブースト量から第２のテーブルを参照することにより合成のカットオフ周波数を決定する。このようにして決定されたブースト量とカットオフ周波数が演算回路から可変フィルタ１３に送出され、フィルタに設定値が変更される（ステップＳ８）。以降のデータ読み出し時には、演算回路１７が決定したブースト値にて再生信号が処理され、また合成されたカットオフ周波数が決定されたカットオフ周波数となるよう制御される。
【００３７】
次に、図７を参照して、磁気テープ装置１の読み込みエラー多発時の動作について説明する。図６に示すように、内部メモリ１８のフィルタ設定値テーブルには、通常設定としての関数データと、エラー多発時用の関数データ（パターン１および／または２）が登録されている。磁気テープ２０からの読み出し時（ステップＳ１１）にエラーが発生すると、読み出しリトライが行われる。所定回数のリトライでも正常に読み出せない場合（ステップＳ１２：ＹＥＳ）、制御ユニット４は演算回路１７にエラー多発時の設定を行い、これにより演算回路１７はフィルタ係数を通常設定のものからエラー多発時用のものに切り換える（ステップＳ１３）。これは、ブースト量やカットオフ周波数などのフィルタ係数を、例えば図６に示す通常設定の値からパターン１または２の値に切り換えることにより行われる。このようにフィルタ１３の設定値を切り替て再読み込みを行うと（ステップＳ１４）、リトライ時のエラーを減少させた状態での読み出しデータを得ることができる。
【００３８】
ここで、エラーレートを改善させるには、再生信号とノイズの量（Ｓ／Ｎ比）をトータルで考慮する必要がある。例えば、Ｓ／Ｎ比の悪い装置であれば、高域のノイズ量を減らすためにトータルのカットオフ周波数を低めに設定することが有効であり、逆にＳ／Ｎ比がよいのであればブースト量を抑えてカットオフ周波数を高く設定することが有効である。このため本実施例では、図６に示す例では通常設定に比べてブースト量が小さくなるパターン１とブースト量が大きくなるパターン２を用意し、再生信号の特性に合わせて調整可能としている。また、カットオフ周波数を規定する参照テーブルにおいて、パターン１ではカットオフ周波数を高めに、パターン２ではカットオフ周波数を低めに規定される（図示せず）。
【００３９】
さらに、本発明に係る磁気テープ装置１は、磁気テープの劣化状態を検出する機能を有してもよい。すなわち、磁気テープ２０の読み込み時に、制御ユニット４または波形サンプル回路１６が、実際に磁気テープ２０から読み出される信号の波形情報と、磁気テープ２０の不揮発性メモリ２１に記録されている波形情報とを比較し、両者のズレが許容範囲を超える場合に磁気テープが劣化している旨の警告をホスト装置２に発するようにする。上記から明らかなように、不揮発性メモリ２１の波形情報は磁気テープが新品のとき（すなわち、製造段階あるいは磁気テープ装置１での初回使用時）の読み出しデータに基づいて書き込まれるため、不揮発性メモリ２１に記録された波形と実際に読み出される波形が異なればテープが劣化してきたものと判断することができる。なお、この劣化状態の検出は通常の読み出し時に行ってもよいし、リトライ時のみ行うようにしてもよい。
【００４０】
本発明の実施例について説明したが、本発明の技術的範囲は上記の実施例に限定されるものではなく、他の様々な実施例として構成することができる。特に、上記実施例では波形情報の半値幅に基づいて特性差を算出し、ブースト量やカットオフ周波数を調整するようにしているが、これらは例えば線形ひずみの補正値やフィルタの位相特性などを用いるようにしてもよい。また、上記本発明の特徴は大別するとフィルタ値設定機能、標準ヘッド値の波形情報の算出および書き込み機能、テープの劣化状態検出機能に分けることができるが、磁気テープ装置１はそのいずれかのみを有する構成としてもよい。特に、磁気テープの製造段階終期で標準ヘッド値の波形情報の算出および書き込み機能を有する装置にかければ、予め標準ヘッドでの波形情報が不揮発性メモリ２１に格納された磁気テープ媒体を出荷することができる。
【００４１】
また、上記実施例ではメーカや製品とは関係なくヘッドと媒体の個体差を吸収できるようにしているが、同じメーカの同じ製品は同じ特性を有するとみなして、同一メーカの記録媒体には予め同じ波形情報を書き込み、同一メーカの記録再生装置には予め同じ特性差情報を登録するようにしてもよい。このような構成としても、装置メーカ毎のヘッド特性の違いと、媒体メーカ毎の媒体特性の違いを吸収することができる。
【００４２】
また、磁気テープ装置１は複数のヘッドを同時に使用する構成であってもよい。この構成の下で各ヘッドに同じ磁気テープ製品を使用する場合、各磁気テープが同じ特性を持つとして、磁気テープ内に記憶されている一組の波形情報から各ヘッド毎のフィルタ係数の最適化を行うことが可能となる。また、上記説明では本発明の特徴に直接関連のない要素の記載を省略しているが、実際の磁気テープ装置は機能動作に必要な他の様々な構成要素を備えるものとする。
【００４３】
以上のように、磁気テープ内部の不揮発性メモリに波形情報が書き込まれていれば、波形情報に基づきフィルタの計数値を最適化することが可能となり、読み出しエラーの発生を減少させることができる。特に、本願発明では実際に使用するテープと実際に使用するヘッドの個体差を考慮してフィルタ値を最適化するため、メーカ毎に固定のフィルタ係数を採用するような従来装置に比べてエラー発生率を減少させることができる。また、エラーが多発するような状況となっても、状況に応じてフィルタ値を変化させてリトライ処理を行うことが可能となり、リトライ時間の短縮を実現することができる。さらに、初期状態の波形情報と実際に読み込んだ波形情報を比較すれば、磁気媒体の劣化を検出して警告を発することが可能となる。これにより、他の媒体にユーザデータを移行する等の処置を行うことが可能となり、手遅れとなる前にユーザデータを保護することができる。
【産業上の利用可能性】
【００４４】
本発明は、可換型記録媒体内部の不揮発性メモリに波形情報を書き込んでおき、装置側でこの波形情報に基づいて再生回路のフィルタ設定値を最適化することができ、可換型情報記録媒体を扱う装置全般、例えば磁気テープ装置、ＣＤやＤＶＤなどの光ディスク装置やフレキシブルディスクドライブ等に適用することができる。
【図面の簡単な説明】
【００４５】
【図１】磁気テープ装置の構成を示す概略ブロック図である。
【図２】磁気テープ装置の動作例を説明するフローチャートである。
【図３】再生波形とサンプルデータの例を示す図である。
【図４】再生波形とサンプルデータの例を示す図である。
【図５】ブースト量とカットオフ周波数の相関を説明する図である。
【図６】フィルタ値設定テーブルの内容を模式的に示す図である。
【図７】読み込みエラー多発時の磁気テープ装置の動作例を説明するフローチャートである。。
【図８】従来の磁気テープ装置の構成を示す概略ブロック図である。
【符号の説明】
【００４６】
１    磁気テープ装置
２    ホスト装置
４    制御ユニット
６    ヘッド
１３  可変フィルタ
１６  波形サンプル回路
１７  演算回路
１８  内部メモリ
２０  磁気テープ
２１  不揮発性メモリ
【図１】
2005174396.tif 000003
【図２】
2005174396.tif 000004
【図３】
2005174396.tif 000005
【図４】
2005174396.tif 000006
【図５】
2005174396.tif 000007
【図６】
2005174396.tif 000008
【図７】
2005174396.tif 000009
【図８】
2005174396.tif 000010